(57)【要約】【課題】簡易な構成で趣向性の高い録再形象体玩具を提供する。【解決手段】録再形象体玩具１は、頭部本体２２の前方に配置されるスピーカと、頭部本体２２の外方向に立設するプッシュボタン式の再生スイッチと、頭部本体２２の前方に配置されるマイクと、を備える。また、録再形象体玩具１は、スピーカ、再生スイッチ及びマイクを覆う、口孔２１２を有した軟質なドーム状の顔面部２１と、体の外部に設けられる録音スイッチ３５と、を備える。スピーカ、再生スイッチ及びマイクは、後方から前方へ向かって順に配置することができる。【選択図】    図１
0003215588.tif 000002
【実用新案登録請求の範囲】
【請求項１】
頭部本体の前方に配置される放音部と、
前記頭部本体の外方向に立設するプッシュボタン式の再生スイッチと、
前記頭部本体の前方に配置される収音部と、
前記放音部、前記再生スイッチ及び前記収音部を覆い、前面に口孔を有した軟質なドーム状の顔面部と、
体の外部に設けられる録音スイッチと、
を備えることを特徴とする録再形象体玩具。
【請求項２】
前記再生スイッチと反対方向であって前記頭部本体の外方向へ立設するプッシュボタン式のダミースイッチを備え、
前記口孔は切り込み状に形成され、
前記再生スイッチと前記ダミースイッチは、各々前記口孔の端部の内側に配置される、
ことを特徴とする請求項１に記載の録再形象体玩具。
【請求項３】
前記放音部、前記再生スイッチ及び前記収音部は、後方から前方へ向かって順に配置されることを特徴とする請求項１又は請求項２に記載の録再形象体玩具。
【請求項４】
前記口孔は、前記収音部及び前記再生スイッチの配置される延長線上の前方に配置されることを特徴とする請求項１乃至請求項３の何れかに記載の録再形象体玩具。
【請求項５】
前記頭部本体に前記録音スイッチと電気的に接続される主制御基板を備え、
前記頭部本体は、側面に突起を有して体部に挿入される回動軸を有し、
前記体部は、前記突起と当接して前記回動軸の回動範囲を規制する段部が形成された軸孔を有する、
こと特徴とする請求項１乃至請求項４の何れかに記載の録再形象体玩具。
【請求項６】
前記頭部本体は、上面に開口部が並設されたＵ字状の貫通孔を有することを特徴とする請求項１乃至請求項５の何れかに記載の録再形象体玩具。
【考案の詳細な説明】
【技術分野】
【０００１】
本考案は、音声の録音及び再生が可能な録再形象体玩具に関する。
【背景技術】
【０００２】
従来から、人が発した音声を録音して再生させる録音再生玩具が開示されている。例えば、特許文献１には、電気式の玩具であって、音を録音するための手段と、録音停止後にその録音された音を異なる速度および／または異なるピッチで自動再生するための手段と、録音された音の速度をランダムに上げ下げする、および／または録音された音のピッチをランダムに上げ下げするための手段と、を含む玩具が開示されている。この玩具では、再生時に玩具の口を同時に動かして口の発話動作を模擬するように機械的リンク機構を駆動することが例示されている。
【先行技術文献】
【特許文献】
【０００３】
【特許文献１】実用新案登録第３１６６４０６号
【考案の概要】
【考案が解決しようとする課題】
【０００４】
しかしながら、特許文献１の玩具では、録音再生機能とともに口を駆動させるための機械的リンク機構を有しており、内部構造が複雑になる。そのため、製造コストが増加したり、玩具全体が大きくなってしまう。玩具の小型化が制限されることで、用途や意匠の形成に制限が生じて、趣向性を高めることができない場合がある。
【０００５】
本考案は、簡易な構成で趣向性高い録再形象体玩具を提供することを目的とする。
【課題を解決するための手段】
【０００６】
本考案に係る録再形象体玩具は、頭部本体の前方に配置される放音部と、前記頭部本体の外方向に立設するプッシュボタン式の再生スイッチと、前記頭部本体の前方に配置される収音部と、前記放音部、前記再生スイッチ及び前記収音部を覆い、前面に口孔を有した軟質なドーム状の顔面部と、体の外部に設けられる録音スイッチと、を備えることを特徴とする。
【考案の効果】
【０００７】
本考案によれば、簡易な構成で趣向性の高い録再形象体玩具を提供することができる。
【図面の簡単な説明】
【０００８】
【図１】本考案の実施形態に係る録再形象体玩具の斜視図であり、（ａ）は口孔を閉じた状態を示す図であり、（ｂ）は口孔を開いた状態を示す図である。
【図２】本考案の実施形態に係る録再形象体玩具の正面から見た分解斜視図である。
【図３】本考案の実施形態に係る録再形象体玩具の背面から見た分解斜視図である。
【図４】本考案の実施形態に係る図１（ａ）の録再形象体玩具のＩＶ−ＩＶ断面図である。
【図５】本考案の実施形態に係る図１（ａ）の録再形象体玩具のＶ−Ｖ断面図である。
【図６】本考案の実施形態に係る図４の録再形象体玩具のＶＩ−ＶＩ断面図である。
【図７】本考案の実施形態に係る録再形象体玩具の制御ブロック図である。
【図８】本考案の実施形態に係る録再形象体玩具の動作を示すフローチャート図である。
【考案を実施するための形態】
【０００９】
次に、本考案の実施形態を図に基づいて説明する。図１（ａ）は録再形象体玩具１の口孔２１２を開いた状態を示す斜視図である。また、図１（ｂ）は録再形象体玩具１の口孔２１２を開いた状態を示す斜視図である。録再形象体玩具１は、頭部２及び体部３を備える人形型の玩具である。使用者が録音スイッチ３５（２０３）を押下すると使用者が発した音声を録音することができ、使用者が頭部２の両頬側面を摘まむと口孔２１２が開いて（図１（ｂ）参照）使用者が最後に録音した音声を、変調した声質により出力させることができる。以下の録再形象体玩具１の説明では、頭部２の前側を前、その反対側を後とし、後方から見た左側を左、その反対側を右とする。また、頭部２側を上とし、体部３側を下とする。
【００１０】
図２は、録再形象体玩具１の正面から見た分解斜視図である。また、図３は、録再形象体玩具１の背面から見た分解斜視図である。まず、頭部２について説明する。
【００１１】
頭部２の外形は、図１（ａ）にも示したように、顔面部２１と頭部本体２２とにより略楕円球状に形成される。図２及び図３で、顔面部２１は、略半楕円球状に形成され、シリコンなどの軟質な材料により形成される。顔面部２１の前面には、目２１１と口孔２１２が形成される。口孔２１２は、略直線の切り込み状に形成される。また、頭部本体２２は頭部２全体の後方側に配置される。顔面部２１は、頭部本体２２と接続されて、頭部本体２２の前方側に配置される。
【００１２】
図３で、顔面部２１は、後方側に略円形の接続開口部２１３を有する。接続開口部２１３は、顔面部２１の後端に形成された縮径部２１４の内側に形成される。縮径部２１４の上縁には、矩形状の切欠部２１４ａが形成される。また、顔面部２１には、縮径部２１４の下縁から顔面部２１の下面に亘って、略Ｕ字状の切欠部２１ａが形成される。
【００１３】
図２において、頭部本体２２は、後ケース４、主制御基板５及び入出力部６を備える。後ケース４は半球状のドーム状に形成される。後ケース４の上方縁部には、略矩形状の切欠部４１が形成される。後ケース４の内部には、電池などの電源を収容する電源ケース４２と、螺子用孔を有する複数の円柱状の係合部４３を有する。本実施形態の電源ケース４２は３つのボタン電池が収容可能である。電源ケース４２には、各ボタン電池を直列に接続させるための端子４２１が配置される。電源ケース４２の前方側には、主制御基板５の回路と電気的に接続するための接続端子４２１ａ，４２１ｂが突出している。また、後ケース４の下方縁部には、半円状の切欠部４４が形成される。
【００１４】
図３で、後ケース４の後面には、電源ケース４２を開閉させるための蓋部４５が設けられる。蓋部４５は、螺子用孔４５１に挿入される図示しない螺子によって、後ケース４に対し固定される。
【００１５】
図２において、主制御基板５は、略楕円板状に形成される。主制御基板５の四箇所の縁部には、略Ｕ字状の切欠部５１ａ〜５１ｄが形成される。切欠部５１ａ，５１ｂは下方へ切り欠かれ、切欠部５１ｃ，５１ｄは上方へ切り欠かれる。切欠部５１ａ〜５１ｄには、主制御基板５を後ケース４に配置させる際に、係合部４３が挿入される。
【００１６】
入出力部６は、図２及び図３に示すように、上ケース６１、下ケース６２及び連結板６４を備える。上ケース６１には、マイク収容部６１１、シリンダ部６１２及びスピーカ収容部６１３が前方から後方に向かって順に配置される。また、下ケース６２にも、マイク収容部６２１、シリンダ部６２２及びスピーカ収容部６２３が前方から後方に向かって順に配置される。
【００１７】
マイク収容部６１１及びマイク収容部６２１は、互いに組み合わされて、前方を底部とした略円筒状のマイク収容部６３１を形成する。また、マイク収容部６１１及びマイク収容部６２１は、それぞれ前面に略半円状の切欠部６１４，６２４を有する。切欠部６１４，６２４は、マイク収容部６１１，６２１同士を組み合わせることで、略円形の収音孔６３４を形成する。
【００１８】
シリンダ部６１２及びシリンダ部６２２は、互いに組み合わされて、左右方向に略円筒状のシリンダ部６３２を形成する。また、シリンダ部６１２の左右の側面には切欠部６１５が形成された底部が設けられ、シリンダ部６２２の左右の側面にも切欠部６２５が形成された底部が設けられる。切欠部６１５，６２５は、シリンダ部６１２，６２２同士を組み合わせることで、左右の側面に再生スイッチ２０４を貫装させるための軸受部６３５を形成する。
【００１９】
図３で、スピーカ収容部６１３及びスピーカ収容部６２３は、互いに組み合わされて、前後方向に短円筒状のスピーカ収容部６３３を形成する。スピーカ収容部６１３内には、前後方向に貫通する複数の放音孔６１３ａが設けられる。本実施形態の放音孔６１３ａは内側の２箇所を上下方向に長尺に形成しており、外側の２箇所を略三角形状に形成している。また、スピーカ収容部６１３の下方には、後述する案内部材６５を下ケース６２に対し押さえて固定させる突端部６１３ｂが形成される。また、マイク収容部６２１及びシリンダ部６２２の下方には、スイッチ収容部６２６が形成される（図４も参照）。
【００２０】
上ケース６１の後面には、後方に立設する位置決め突起６１７が設けられる。また、下ケース６２の後面にも、後方に立設する位置決め突起６２７が設けられる。
【００２１】
図２に戻り、上ケース６１において、マイク収容部６１１の左右両側であってシリンダ部６１２の前方には、螺子用孔６１８ａが形成される。スピーカ収容部６１３の左右の両側にも螺子用孔６１８ｂが形成される。また、下ケース６２において、マイク収容部６２１の左右の両側であってシリンダ部６２２の前方には、螺子用孔６１８ａに挿通された螺子により上ケース６１と下ケース６２を固定するための被固定部６２８ａが形成される。スピーカ収容部６２３の左右の両側にも螺子用孔６１８ｂに対応する被固定部６２８ｂが形成される。
【００２２】
スピーカ収容部６１３，６２３の外周には、円周状に係合溝６１３ｃ，６２３ｃが形成される。顔面部２１は、図３に示した縮径部２１４を係合溝６１３ｃ，６２３ｃに係合させることで、入出力部６に対して取り付けられる。
【００２３】
上ケース６１の上方には、突起部６１９ｂが形成される。突起部６１９ｂには、略Ｕ字状に湾曲して両端の開口部を上面に並設した貫通孔６１９ａが形成される。突起部６１９ｂの左右位置には、螺子を挿入して、上ケース６１を後ケース４に固定するための切欠部６１９ｃが形成される。
【００２４】
下ケース６２の下端からは、略円筒状の回動軸６３６が下方に延設される。回動軸６３６には、円板状の２個のフランジ部６３６ａが設けられる。フランジ部６３６ａ間には外周溝６３６ｂが形成される。また、回動軸６３６内には、上下に貫通する円形孔６３６ｄが形成される。
【００２５】
下ケース６２の下端であって回動軸６３６の左右位置には、図示しない螺子を配置させて、下ケース６２を後ケース４に固定するための切欠部６２９が形成される。
【００２６】
入出力部６は、スピーカ収容部６１３内に収容される、スピーカ２０６（放音部）とパッキン７１とを有する。スピーカ２０６は、全体が略円板状に形成される。スピーカ２０６は、主制御基板５と電気的に接続されて、主制御基板５から入力された信号に基づいて音声を出力させる。パッキン７１はＯリング状に形成される。
【００２７】
また、入出力部６は、マイク収容部６３１内に、マイク２０５（収音部）を有する。マイク２０５は略円柱状に形成される。マイク２０５は、主制御基板５と電気的に接続されて、外部から収音した音声を、電気信号として主制御基板５に入力させる。
【００２８】
案内部材６５は、再生スイッチ７２及びダミースイッチ７３の摺動動作を案内する部材である。案内部材６５は、底板６５１及びガイド側板６５２を有する。底板６５１の左側には、押圧板７２４が挿通される矩形状の切欠部６５１ａが形成される。底板６５１の前端からは、下方に向かって係合板６５３が立設している。また、底板６５１の下面からは、スイッチ７４１の押え部材６５４が設けられる（図３参照）。
【００２９】
ガイド側板６５２は、底板６５１と略同じ左右幅に亘り設けられる。ガイド側板６５２の後面には、案内部材６５を下ケース６２に係合させるための係合突起６５５が形成される。
【００３０】
再生スイッチ７２（２０４）は、左右方向に長軸を有した棒状に形成される。再生スイッチ７２は、左の一端側に略円形のフランジ状に形成される被押圧部７２１を有し、他端側に付勢部材７５（図４に図示）を係合させるための有底円形溝が形成された受部７２２を有する。また、再生スイッチ７２は、図３に示すように、受部７２２の後方側に再生スイッチ７２の回転を規制しながら左右方向の摺動を案内させるための、板状の被案内部７２３を有する。再生スイッチ７２は、頭部本体２２の左外方向へ立設するプッシュボタン式のスイッチとして構成される。また、受部７２２の下端からは、下方へ向かって延設される平板状の押圧板７２４が設けられる。押圧板７２４は、板リブ７２４ａを側面に有して剛性を向上させている。
【００３１】
ダミースイッチ７３は、左右方向に長軸を有した棒状に形成される。ダミースイッチ７３は、右の一端側に略円形のフランジ状に形成される被押圧部７３１を有し、他端側に付勢部材７５（図４に図示）を係合させるための有底円形溝が形成された受部７３２を有する。また、ダミースイッチ７３は、受部７３２の後方側にダミースイッチ７３の回転を規制しながら左右方向の摺動を案内させるための、板状の被案内部７３３を有する。ダミースイッチ７３は、再生スイッチ７２と反対方向であって頭部本体２２の右外方向へ立設するプッシュボタン式のスイッチとして構成される。
【００３２】
連結板６４は、略円板状に形成される。連結板６４の四隅の外周縁には、略矩形状の切欠部６４１ａ〜６４１ｄが形成される。また、連結板６４の上方の外周縁には、略矩形状の切欠部６４２が形成される。この切欠部６４２の略中央には、後方へ延設された後に上方へ湾曲した舌片部６４２ａが形成される。舌片部６４２ａは、上ケース６１を連結板６４と組み合わせることで、上ケース６１に設けられた貫通孔６１９ａの底部の一部を形成する。また、連結板６４は、上ケース６１の位置決め突起６１７、及び下ケース６２の位置決め突起６２７を挿入するための位置決め孔６４３を有する。
【００３３】
次に、体部３について説明する。体部３は、後体部３１と前体部３２とにより外装が形成される。図１（ａ）に示した体部３の左腕部３３１、右腕部３３２、左脚部３３３及び右脚部３３４は、各々後体部３１及び前体部３２の、左腕部３１１，３２１、右腕部３１２，３２２、左脚部３１３，３２３及び右脚部３１４，３２４を組み合わせて形成される。体部３は、腹部付近の前面に録音スイッチ３５を有する。体部３は、頭部２に対して所定の回動角度だけ回動可能に形成される。
【００３４】
後体部３１には、図示しない螺子を後方から挿入させるための前後に貫通した複数の螺子用孔３１５が設けられる。また、図３において、前体部３２内には、螺子用孔３１５に挿通させた螺子を螺入させるための螺子孔が形成された固定部３２５が設けられる。
【００３５】
前体部３２には、固定孔３４１により図示しない螺子で螺止固定される基板３４が配置される。基板３４は、主制御基板５と電気的に接続されている。録音スイッチ３５が押下されると、内部の基板３４に設けられたプッシュボタン式のスイッチ３４２（図５参照）が間接的に押下されて、主制御基板５は基板３４から伝達される録音指示を検出する。
【００３６】
後体部３１の上端縁には、略半円弧状の切欠部３１６が形成される。切欠部３１６の後方側には、切欠部３１６の前端縁側よりも拡径した大径部３１６ａが形成される。そのため、大径部３１６ａの両端縁には段部３１６ｂが形成される。また、前体部３２の上端縁にも、略半円弧状の切欠部３２６が形成される。したがって、後体部３１と前体部３２とを組み合わせると、体部３の上面部分には、切欠部３１６及び切欠部３２６により、略円形の軸孔３３６が形成される。
【００３７】
次に、録再形象体玩具１を組み立てた状態について説明する。図４は、図１（ａ）の録再形象体玩具１のＩＶ−ＩＶ断面図である。なお、本図では頭部２についての断面を示している。スイッチ収容部６２６には、基板７４が収容される。基板７４には、再生スイッチ７２側にプッシュボタン式のスイッチ７４１が設けられる。
【００３８】
再生スイッチ７２とダミースイッチ７３は、各々口孔２１２の端部２１２ａの内側に配置される。再生スイッチ７２の受部７２２と、ダミースイッチ７３の受部７３２との間には、コイルばねである付勢部材７５が配置される。この付勢部材７５により、再生スイッチ７２とダミースイッチ７３とは、互いに離間する方向に付勢される。そのため、顔面部２１の口孔２１２は、左右に広がる方向に力を受け、口孔２１２の上縁と下縁が近接するため、図１（ａ）に示す口孔２１２が閉じる状態になる。
【００３９】
一方、使用者が顔面部２１を左右方向から摘まむように押すと、付勢部材７５の弾発力に抗して口孔２１２の左端部と右端部とが近接し、口孔２１２の上縁と下縁が離間するため、図１（ｂ）に示す口孔２１２が開く状態になる。図４で、再生スイッチ７２が内側へ摺動すると、押圧板７２４がスイッチ７４１を押し、主制御基板５は再生指示を検出することができる。
【００４０】
図５は、図１（ａ）の録再形象体玩具１のＶ−Ｖ断面図である。主制御基板５及び入出力部６は後ケース４に対して固定される。
【００４１】
マイク２０５は、再生スイッチ７２及びダミースイッチ７３の前面側に設けられたマイク収容部６３１内に収容される。マイク２０５は、口孔２１２及び収音孔６３４を介して外部からの音声を収音することができる。
【００４２】
ダミースイッチ７３は、ガイド側板６５２の上端面と、スピーカ収容部６１３の下面６１３ｄとの間に被案内部７２３を配置させることで、回転及び上下動が規制される。また、ダミースイッチ７３は、ガイド側板６５２の前面側と、シリンダ部６３２の内面とにより、前後動が規制される。
【００４３】
同様に、図５では図示しないが、再生スイッチ２０４は、ガイド側板６５２の上端面と、スピーカ収容部６１３の下面６１３ｄとの間に被案内部７２３が配置されることで、回転及び上下動が規制される。また、再生スイッチ２０４は、ガイド側板６５２の前面側と、シリンダ部６３２の内面とにより、前後動が規制される。したがって、再生スイッチ２０４及びダミースイッチ７３は、左右方向に摺動可能に構成される。
【００４４】
スピーカ収容部６３３の前方底部には、パッキン７１が配置される。スピーカ２０６は、スピーカ収容部６３３内において、底部である前方側に、パッキン７１を介して収容される。
【００４５】
このように、スピーカ２０６、再生スイッチ７２（２０４）及びマイク２０５は、軟質なドーム状の顔面部２１により覆われて頭部２に収容され、後方から前方に向かってスピーカ２０６、再生スイッチ２０４及びマイク２０５の順に配置される。また、口孔２１２は、再生スイッチ７２及びマイク２０５の略延長線上の前方に配置される。したがって、録再形象体玩具１は、顔面部２１の外観を損なうことなく、マイク２０５やスピーカ２０６等を収容しながら、収音及び放音時に音量の減衰を低減させることができる。
【００４６】
図６は、図４の録再形象体玩具１のＶＩ−ＶＩ断面図である。本図では、回動軸６３６の外周溝６３６ｂの位置における断面を示している。外周溝６３６ｂ内には、後方側に突出する突起６３６ｃが形成される。回動軸６３６の回動は、軸孔３３６内に形成される段部３１６ｂと、突起６３６ｃが当接することにより、予め定められた回動範囲に規制される。本実施形態では、頭部２内の主制御基板５と、体部３内の基板３４とを電気的に接続するための配線（不図示）が回動軸６３６内の円形孔６３６ｄを介して接続されるため、回動軸６３６の回動角度が規制されることにより、配線がねじれて断線することを防止できる。
【００４７】
図７は、録再形象体玩具１の制御ブロック図である。録再形象体玩具１は、制御部２０１、記憶部２０２、録音スイッチ２０３、再生スイッチ２０４、マイク２０５及びスピーカ２０６を備える。制御部２０１は、主制御基板５に設けられる。また、本実施形態では、制御部２０１内に記憶部２０２を設けている。
【００４８】
記憶部２０２は、マイク２０５が収音した音声を記憶する。マイク２０５は、録音スイッチ２０３による録音指示により、収音した音声を制御部２０１に送る。また、スピーカ２０６は、再生スイッチ２０４による再生指示により、記憶部２０２に記憶した音声を放音する。
【００４９】
図８は、録再形象体玩具１の動作を示すフローチャート図である。処理が開始されると、ステップＳ１０１で、制御部２０１は、再生スイッチ２０４が押下されたか判定する。使用者が録再形象体玩具１の両頬を摘み、再生スイッチ２０４が押下されたと制御部２０１が判定した場合、制御部２０１はステップＳ１０７の処理へ進む。このとき録再形象体玩具１は、図１（ｂ）に示すように口孔２１２を開く。使用者が再生スイッチ２０４を押下したと制御部２０１が判定しない場合、制御部２０１はステップＳ１０２の処理へ進む。
【００５０】
ステップＳ１０２で、制御部２０１は、音声を再生中であるか判定する。制御部２０１は、音声を再生中である場合ステップＳ１０１の処理に戻り、音声を再生中でない場合、ステップＳ１０３へ進む。
【００５１】
ステップＳ１０３で、制御部２０１は、録音スイッチ２０３が押下されたか判定する。使用者が録音スイッチ２０３を押下したと制御部２０１が判定した場合、制御部２０１はステップＳ１０４へ進み、使用者が再生スイッチ２０４を押下したと制御部２０１が判定しない場合、制御部２０１はステップＳ１０１の処理へ戻る。
【００５２】
ステップＳ１０４で、制御部２０１は、マイク２０５を介して音声を収音する。
【００５３】
ステップＳ１０５で、制御部２０１は、録音スイッチ２０３の押下が解除されたか、又は、ステップＳ１０４の録音を開始してから所定の時間が経過したか、判定する。ここで、所定の時間は予め定めておくことができ、例えば、１５秒と設定することができる。制御部２０１は、録音スイッチ２０３の押下が解除されたと判定した場合、又は、録音を開始してから所定の時間が経過したと判定した場合、ステップＳ１０６の処理に進む。一方、制御部２０１は、録音スイッチ２０３の押下が解除されたと判定されず、録音を開始してから所定の時間が経過したと判定されない場合、ステップＳ１０５の判定処理を繰り返す。
【００５４】
ステップＳ１０６で、制御部２０１は、録音を停止する。制御部２０１は、収音した音声をデジタル信号に変換して、記憶部２０２に記憶する。なお、制御部２０１は、記憶部２０２内に既に記憶された音声のデータが有る場合、古いデータを消去して新しい音声のデータを記憶する。その後、制御部２０１は、ステップＳ１０１の処理に戻る。
【００５５】
ステップＳ１０１で再生スイッチ２０４を押下したと制御部２０１が判定した場合、ステップＳ１０７において、制御部２０１は、記憶部２０２に記憶した音声を元の音声より高音域で早口にする等声質を変調させたアナログ信号に変換して、スピーカ２０６により再生させる。このとき、録再形象体玩具１は、再生スイッチ２０４の押下と同時に口孔２１２を開いているため、録再形象体玩具１は口の動きと連動して発声する動作を表現することができる。その後、制御部２０１は、ステップＳ１０１の処理に戻る。なお、制御部２０１は、ステップＳ１０１において、音声の再生中に再生スイッチ２０４が押下されたと判定した場合も、ステップＳ１０７へ進み記憶部２０２に記憶された音声を始めから再生させる処理を行う。
【００５６】
図８に示したような処理により、録再形象体玩具１は、録音スイッチ３５（２０３）を押し続ける間音声を録音する。また、音声が再生されている間は、録音スイッチ３５（２０３）を押しても録音処理を開始しない構成とすることができる。
【００５７】
以上、本考案の実施形態について説明したが、録再形象体玩具１は、顔面部２１の中に、スピーカ２０６、再生スイッチ７２及びマイク２０５を備えて、録音及び再生機能を有するため、録音時には使用者が録再形象体玩具１に話しかけて言葉を覚えさせているように操作し、再生時には録再形象体玩具１が口孔２１２を開けて使用者のアバターとして使用者の台詞を代弁させるような遊びをすることができる。よって、簡易な構成で趣向性の高い録再形象体玩具１とすることができる。
【００５８】
以上、本考案の実施形態の一例を示したが、本考案は上記の実施形態によって限定されることはなく、種々の変更を加えて実施することができる。例えば、本実施形態では、再生スイッチ７２を左側に設け、ダミースイッチ７３を右側に設けた例について説明したが、再生スイッチ７２及びダミースイッチ７３の配置を左右逆にしてもよいし、再生スイッチ７２及びダミースイッチ７３の両方を押すことによりスピーカ２０６から音声を出力する構成としてもよい。
【００５９】
また、スイッチ７４１は、近接センサや透受光センサなどの他のスイッチを適用することができる。
【００６０】
また、本実施形態では、録音スイッチ３５が体部３の腹部付近の前面に設けられた例について説明したが、後ケース４や入出力部６を含む頭部２等、体の他の外部位置に設ける構成としてもよい。
【符号の説明】
【００６１】
１        録再形象体玩具                  ２        頭部
３        体部                            ４        後ケース
５        主制御基板                      ６        入出力部
２１      顔面部                          ２１ａ    切欠部
２２      頭部本体                        ３１      後体部
３２      前体部                          ３４      基板
３５      録音スイッチ                    ４１      切欠部
４２      電源ケース                      ４３      係合部
４４      切欠部                          ４５      蓋部
５１ａ〜５１ｄ  切欠部                    ６１      上ケース
６２      下ケース                        ６４      連結板
６５      案内部材                        ７１      パッキン
７２      再生スイッチ                    ７３      ダミースイッチ
７４      基板                            ７５      付勢部材
２０１    制御部                          ２０２    記憶部
２０３    録音スイッチ                    ２０４    再生スイッチ
２０５    マイク                          ２０６    スピーカ
２１１    目                              ２１２    口孔
２１２ａ  端部                            ２１３    接続開口部
２１４    縮径部                          ２１４ａ  切欠部
３１１    左腕部                          ３１２    右腕部
３１３    左脚部                          ３１４    右脚部
３１５    螺子用孔                        ３１６    切欠部
３１６ａ  大径部                          ３１６ｂ  段部
３２１    左腕部                          ３２２    右腕部
３２３    左脚部                          ３２４    右脚部
３２５    固定部                          ３２６    切欠部
３３１    左腕部                          ３３２    右腕部
３３３    左脚部                          ３３４    右脚部
３３６    軸孔                            ３４１    固定孔
３４２    スイッチ                        ４２１    端子
４２１ａ  接続端子                        ４２１ｂ  接続端子
４５１    螺子用孔                        ６１１    マイク収容部
６１２    シリンダ部                      ６１３    スピーカ収容部
６１３ａ  放音孔                          ６１３ｂ  突端部
６１３ｃ  係合溝                          ６１３ｄ  下面
６１４    切欠部                          ６１５    切欠部
６１７    位置決め突起                    ６１８ａ  螺子用孔
６１８ｂ  螺子用孔                        ６１９ａ  貫通孔
６１９ｂ  突起部                          ６１９ｃ  切欠部
６２１    マイク収容部                    ６２２    シリンダ部
６２３    スピーカ収容部                  ６２３ｃ  係合溝
６２４    切欠部                          ６２５    切欠部
６２６    スイッチ収容部                  ６２７    位置決め突起
６２８ａ  被固定部                        ６２８ｂ  被固定部
６３１    マイク収容部                    ６３２    シリンダ部
６３３    スピーカ収容部                  ６３４    収音孔
６３５    軸受部                          ６３６    回動軸
６３６ａ  フランジ部                      ６３６ｂ  外周溝
６３６ｃ  突起                            ６３６ｄ  円形孔
６４１ａ〜６４１ｄ  切欠部                ６４２    切欠部
６４２ａ  舌片部                          ６４３    位置決め孔
６５１    底板                            ６５１ａ  切欠部
６５２    ガイド側板                      ６５３    係合板
６５４    押え部材                        ６５５    係合突起
７２１    被押圧部                        ７２２    受部
７２３    被案内部                        ７２４    押圧板
７２４ａ  板リブ                          ７３１    被押圧部
７３２    受部                            ７３３    被案内部
７４１    スイッチ
【図１】
0003215588.tif 000003
【図２】
0003215588.tif 000004
【図３】
0003215588.tif 000005
【図４】
0003215588.tif 000006
【図５】
0003215588.tif 000007
【図６】
0003215588.tif 000008
【図７】
0003215588.tif 000009
【図８】
0003215588.tif 000010